【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
光信号を送信する発光部に対して第１の信号を供給するとともに、光信号を受信する受光部から第２の信号を受け取る通信部と、
電気信号を用いて通信相手との接続を検出する第１の接続検出動作を行う接続検出部と
を備えた通信装置。
【請求項２】
前記通信部は、前記接続検出部が前記第１の接続検出動作により接続を検出した後に、前記第１の信号を供給することにより第２の接続検出動作を開始する
請求項１に記載の通信装置。
【請求項３】
前記通信部が前記第２の接続検出動作を行う期間において、
前記接続検出部は、前記第１の接続検出動作を継続して行い、
前記通信部は、前記接続検出部が前記第１の接続検出動作において接続が切断されたことを検出した場合に、前記第２の接続検出動作を終了する
請求項２に記載の通信装置。
【請求項４】
前記通信部は、前記第２の接続検出動作において、所定の時間内に接続を検出しなかった場合には、前記第２の接続検出動作を終了する
請求項２に記載の通信装置。
【請求項５】
前記第１の信号は第１のパルス信号を含み、
前記通信部は、前記第２の接続検出動作において、前記第１のパルス信号を供給する
請求項２に記載の通信装置。
【請求項６】
前記第２の信号は第２のパルス信号を含み、
前記通信部は、前記第２の接続検出動作において、前記第２のパルス信号を受け取る
請求項５に記載の通信装置。
【請求項７】
前記第１の信号は第３のパルス信号をさらに含み、
前記通信部は、前記第２の接続検出動作において、前記第２のパルス信号を受け取った後に、前記第１のパルス信号および前記第３のパルス信号を含む第１の混合信号を供給する
請求項６に記載の通信装置。
【請求項８】
前記第３のパルス信号のパルス幅は、前記第１のパルス信号のパルス幅と異なる
請求項７に記載の通信装置。
【請求項９】
前記第２の信号は第４のパルス信号をさらに含み、
前記通信部は、前記第２の接続検出動作において、前記第１のパルス信号を供給した後に、前記第２のパルス信号および前記第４のパルス信号を含む第２の混合信号を受け取る
請求項７に記載の通信装置。
【請求項１０】
前記通信部は、前記第２の接続検出動作において、前記第２の混合信号を受け取った後に、前記第３のパルス信号を供給する
請求項９に記載の通信装置。
【請求項１１】
前記通信部は、前記第２の接続検出動作において、前記第１の混合信号を供給した後に、前記第４のパルス信号を受け取る
請求項１０に記載の通信装置。
【請求項１２】
前記通信部は、前記第４のパルス信号を受け取った後、前記第２の接続検出動作を終了する
請求項１１に記載の通信装置。
【請求項１３】
前記第１の信号はデータ信号を含み、
前記通信部は、前記第２の接続検出動作を終了した後、前記データ信号を供給する
請求項１２に記載の通信装置。
【請求項１４】
電気信号を用いて通信相手との接続を検出する第１の接続検出動作を行い、
前記第１の接続検出動作により接続を検出した後に、光信号を用いて前記通信相手との接続を検出する第２の接続検出動作を行う
通信方法。
【請求項１５】
第１の通信装置と、
第２の通信装置と
を備え、
前記第１の通信装置は、
前記第２の通信装置に光信号を送信する発光部に対して第１の信号を供給するとともに、前記第２の通信装置から送信された光信号を受信する受光部から第２の信号を受け取る通信部と、
電気信号を用いて前記第２の通信装置との接続を検出する第１の接続検出動作を行う接続検出部と
を有する
通信システム。
【手続補正２】
【補正対象書類名】明細書
【補正対象項目名】００２９
【補正方法】変更
【補正の内容】
【００２９】
制御部１４は、通信装置１０内の各ブロックの動作を制御するものである。具体的には、制御部１４は、まず、接続検出部５０を制御することにより、接続検出動作Ｍ１を開始させる。そして、制御部１４は、接続検出動作Ｍ１において、電線９１２を介して通信装置１０，２０が互いに接続されていることが検出された場合には、送信部３０および受信部４０を制御することにより、接続検出動作Ｍ２を開始させる。そして、制御部１４は、接続検出動作Ｍ２において、光ファイバ９０１，９０２を介して通信装置１０，２０が互いに接続されていることが検出された場合には、送信部３０および受信部４０を制御することにより、接続検出動作Ｍ２を終了させるとともに、データ通信動作Ｍ３を開始させるようになっている。
【手続補正３】
【補正対象書類名】明細書
【補正対象項目名】００３０
【補正方法】変更
【補正の内容】
【００３０】
制御部１４は、タイマ１５を有している。タイマ１５は、接続検出動作Ｍ２の開始と同時に時間の計測を開始するものである。制御部１４は、あらかじめ定めた所定の時間（制限時間Ｔlim）以内に、接続検出動作Ｍ２が終了しない場合には、送信部３０および受信部４０を制御することにより、接続検出動作Ｍ２を終了させ、接続検出動作Ｍ１からやり直させるようになっている。
【手続補正４】
【補正対象書類名】明細書
【補正対象項目名】００３６
【補正方法】変更
【補正の内容】
【００３６】
受光部２３は、通信装置１０の受光部１３と同様に、通信装置１０から光ファイバ９０１を介して送信された光信号を電気信号に変換することにより、信号Ｓ２３を生成するものである。この信号Ｓ２３には、データＩＮＦ１、およびパルス信号Ｐ１１，Ｐ１２が含まれる。
【手続補正５】
【補正対象書類名】明細書
【補正対象項目名】００３７
【補正方法】変更
【補正の内容】
【００３７】
受信部７０は、通信装置１０の受信部４０と同様に、パルス信号検出部７２，７３と、処理部７１とを有している。パルス信号検出部７２は、接続検出動作Ｍ２において、信号Ｓ２３に含まれるパルス信号Ｐ１１を検出し、その検出結果を制御部２４に供給するものである。同様に、パルス信号検出部７３は、接続検出動作Ｍ２において、信号Ｓ２３に含まれるパルス信号Ｐ１２を検出し、その検出結果を制御部２４に供給するものである。処理部７１は、データ通信動作Ｍ３において、信号Ｓ２３に含まれるデータＩＮＦ１に基づいて所定の処理を行うものである。
【手続補正６】
【補正対象書類名】明細書
【補正対象項目名】００３９
【補正方法】変更
【補正の内容】
【００３９】
制御部２４は、タイマ２５を有している。タイマ２５は、接続検出動作Ｍ２の開始と同時に時間の計測を開始するものである。制御部２４は、あらかじめ定めた所定の時間（制限時間Ｔlim）以内に、接続検出動作Ｍ２が終了しない場合には、送信部６０および受信部７０を制御することにより、接続検出動作Ｍ２を終了させ、接続検出動作Ｍ１からやり直させるようになっている。
【手続補正７】
【補正対象書類名】明細書
【補正対象項目名】００４２
【補正方法】変更
【補正の内容】
【００４２】
（全体動作概要）
まず、図１を参照して、通信システム１の全体動作概要を説明する。通信システム１では、まず、通信装置１０，２０は、接続検出動作Ｍ１を行う。具体的には、通信装置１０の接続信号送信部５１が、通信装置２０に対して電線９１１を介して接続信号Ｓ５１を送信し、通信装置２０の接続信号受信部８２がその接続信号Ｓ５１を受信する。同様に、通信装置２０の接続信号送信部８１が、通信装置１０に対して電線９１２を介して接続信号Ｓ８１を送信し、通信装置１０の接続信号受信部５２がその接続信号Ｓ８１を受信する。そして、この接続検出動作Ｍ１において、電線９１１，９１２を介して通信装置１０，２０が互いに接続されていることが検出された場合には、通信装置１０，２０は、接続検出動作Ｍ２を行う。具体的には、通信装置１０の送信部３０が、通信装置２０に対して光ファイバ９０１を介してパルス信号Ｐ１１，Ｐ１２を送信し、通信装置２０の受信部７０がそのパルス信号Ｐ１１，Ｐ１２を受信する。同様に、通信装置２０の送信部６０が、通信装置１０に対して光ファイバ９０２を介してパルス信号Ｐ２１，Ｐ２２を送信し、通信装置１０の受信部４０がそのパルス信号Ｐ２１，Ｐ２２を受信する。そして、この接続検出動作Ｍ２において、光ファイバ９０１，９０２を介して通信装置１０，２０が互いに接続されていることが検出された場合には、通信装置１０，２０は、データ通信動作Ｍ３を行う。
【手続補正８】
【補正対象書類名】明細書
【補正対象項目名】００５７
【補正方法】変更
【補正の内容】
【００５７】
このステップＳ１０において、タイマ１５が示す時間が、制限時間Ｔlimを超えている場合（ステップＳ１０において“Ｎ”）には、送信部３０は、パルス信号Ｐ１１，Ｐ１２の送信を停止するとともに、受信部４０は、パルス信号Ｐ２１，Ｐ２２の検出を停止する（ステップＳ１１）。そして、フローはステップＳ２に戻る。
【手続補正９】
【補正対象書類名】明細書
【補正対象項目名】００６０
【補正方法】変更
【補正の内容】
【００６０】
ステップＳ１２において、接続信号受信部５２が、接続信号Ｓ８１を引き続き検出している場合（ステップＳ１２において“Ｙ”）には、制御部１４は、受信部４０が、パルス信号Ｐ２１，Ｐ２２を検出したか否かを確認する（ステップＳ１３）。受信部４０が、パルス信号Ｐ２１，Ｐ２２を検出していない場合（ステップＳ１３において“Ｎ”）には、ステップＳ１０に戻り、ステップＳ１０〜Ｓ１３を繰り返す。